(57)【要約】  【課題】幅の狭い壁紙において壁紙の幅に合わせて容易に左右のズレが出ないような位置の固定をする調整ができ、かつ容易に壁紙のセットができる壁紙糊付機の提供という壁紙原反のセットに関する課題があった。  【解決手段】下部本体部の左右のフレーム間に設けられたステー部材に対し、着脱自在であってステー部材に取り付けた状態でステー部材に対してスライド自在であることを特徴とする壁紙支持部材を設けた構成とし、さらに壁紙支持部材は、第１壁紙支持部材と第２壁紙支持部材との１対で壁紙の端部それぞれを支持する構成である壁紙糊付機を提供する。【選択図】    図４
2008221068.tif 000002
【特許請求の範囲】
【請求項１】
壁紙の裏面に糊付ローラーにより糊を転写塗布する壁紙糊付機において、
下部本体部の左右のフレーム間に設けられたステー部材に対し、着脱自在であってステー部材に取り付けた状態でステー部材に対してスライド自在の壁紙支持部材を設けたことを特徴とする壁紙糊付機。
【請求項２】
壁紙支持部材は、第１壁紙支持部材と第２壁紙支持部材との１対で壁紙の端部それぞれを支持することを特徴とする請求項１記載の壁紙糊付機。
【請求項３】
壁紙支持部材の最下部が糊付機本体の最下部と同じか上方に位置することを特徴とする請求項１、請求項２記載の壁紙糊付機。
【発明の詳細な説明】
【技術分野】
【０００１】
本発明は、壁紙糊付機に関するものである。さらに詳しくは、壁紙糊付機における壁紙原反の支持構造に関するものである。
【背景技術】
【０００２】
内装施工における壁装材の室内壁面の貼付は、施工現場において壁紙糊付機を用い、シート状の壁紙に連続的に糊を塗布し、所望の長さに切断して、壁面への貼付を行うのが一般的となっている。従来の壁紙糊付機では、壁紙原反の巻芯である紙管よりも細い径の金属製丸棒を原反芯棒として、壁紙の原反ロールの穴に挿入し、サイド盤等により原反ロールを原反芯棒に固定させる。そして、台座に糊付機本体を搭載している脚部の両側に設置されている紙受ブラケット、または紙受の軸受部に、原反芯棒の先端部に設けている掛止溝を嵌合させ、回転可能に軸支するという構造が知られている。（特許文献１）
【０００３】
そして、原反ロールを所定の位置に配置させ、糊付工程部または幅裁断工程部の方向へ原反を引っ張り、壁紙の原反ロールを解反している。従来の原反芯棒は、金属製丸棒で、先端部を機械加工によりテーパー状にし、掛止溝を形成したり、原反芯棒の両先端部に衝撃を緩和するための緩衝部を設けた構成の原反芯棒が知られている。（特許文献１）
【０００４】
また、原反芯棒を使用しない構造の壁紙糊付機として、解反芯により係止するシートロール装置部と、糊切りおよびクッション部を配設するシート引出し口を備えた糊容器部、およびその隔壁と隔壁底部の隙間を有し、隔壁底部の隙間を介して引出したシートに糊付することを特徴とする手動式糊付機が知られている。（特許文献２）
【０００５】
上記の手動糊付機においては、シートロール中心部の軸受の両端に解反芯を挿入固定した後、この解反芯をシートロール装着部の側板に設けた係止溝に係止することにより、シートロールをシートロール装着部に装着するという構成である。
【特許文献１】特開２００３−２３７３００号公報
【特許文献２】実公平６−３２８７２号公報
【発明の開示】
【発明が解決しようとする課題】
【０００６】
通常、壁紙の幅は約９７ｃｍ〜９８ｃｍ程度の１ｍ弱の幅が一般的に施工されている壁紙の幅であるが、中には、既に端部が突き付け施工ができるように切断されて幅が約５０ｃｍ〜７０ｃｍ程度の壁紙原反も販売されている。特に外国からの輸入壁紙などは、幅が狭いということが知られている。そして、その輸入壁紙などの幅が狭い壁紙に糊付する際には、原反芯棒にセットして壁紙に糊付作業をしても、ロールに巻かれているｍ数についても、１０ｍ巻きまでで、多くとも２０ｍ程度である。
【０００７】
そのため、上記のような壁紙に糊付をする場合には、原反芯棒にセットする回数が多くなり、その都度、壁紙糊付機の原反設置側へ糊付作業者が移動して、原反芯棒に壁紙をセットし直すという作業が非常に手間な作業となっていた。
【０００８】
幅の狭い壁紙用の糊付機として特許文献２のような糊付機も知られてはいるが、一定の幅の壁紙しか使用できず、壁紙の幅の調整ができないため、種々の幅の壁紙の糊付作業には使用することはできない。以上のことから、特に幅の狭い壁紙において壁紙の幅に合わせて容易に左右のズレが出ないような位置の固定をする調整ができ、かつ容易に壁紙のセットができる壁紙糊付機の提供という壁紙原反のセットに関する課題があった。
【課題を解決するための手段】
【０００９】
上記の課題を解決するために本発明の請求項１は、壁紙の裏面に糊付ローラーにより糊を転写塗布する壁紙糊付機において、下部本体部の左右のフレーム間に設けられたステー部材に対し、着脱自在であってステー部材に取り付けた状態でステー部材に対してスライド自在の壁紙支持部材を設けたことを特徴とする。
【００１０】
また、本発明の請求項２として、壁紙支持部材は、第１壁紙支持部材と第２壁紙支持部材との１対で壁紙の端部それぞれを支持することを特徴とする請求項１記載の壁紙糊付機としている。
【００１１】
また、本発明の請求項３として、壁紙支持部材の最下部が糊付機本体の最下部と同じか上方に位置することを特徴とする請求項１、請求項２記載の壁紙糊付機としている。
【発明の効果】
【００１２】
本発明により従来の課題を解決し、下部本体部のステーに対して着脱が容易であって、スライド自在である壁紙支持部材を有する壁紙糊付機の提供が可能となる。そして、第１壁紙支持部材と第２壁紙支持部材との１対として壁紙支持部材を構成した場合においては、第１、第２それぞれの壁紙支持部材の位置を移動させることにより容易に壁紙に対する幅の調整ができる構成となる。
【００１３】
また、壁紙支持部材の最下部が糊付機本体の最下部と同じか上方に位置するように構成した場合には、壁紙のセット自体が壁紙の排出側にいる作業者においても容易に壁紙のセットができるようになり、原反芯棒を使用するセット方法よりも効率的に壁紙のセットが可能となる。
【発明を実施するための最良の形態】
【００１４】
本発明の実施の形態について図に開示して説明する。図１は、壁紙原反Ａの設置側からみた壁紙糊付機の正面図であり、図２（ａ）は、図１の左側面図、図２（ｂ）は図１の右側面図である。
【００１５】
壁紙糊付機本体３は、従来より上部本体部４と下部本体部５に分離され、壁紙をセットする際に開閉可能な構造となっている。そして下部本体部５に設置されているステー６にスライド自在に第１壁紙支持部材１と第２壁紙支持部材２が着脱自在に取り付けられている。この第１壁紙支持部材１と第２壁紙支持部材２により、壁紙の両側の端部それぞれを支持するのである。
【００１６】
第１壁紙支持部材１と第２壁紙支持部材２によって壁紙７の両端を支持する状態を図３に示す。第１壁紙支持部材１と第２壁紙支持部材２とは、それぞれ勝手反対に構成されて、ステー６に嵌合する嵌合部１ａ，２ａと、フレーム部１ｂ，２ｂと壁紙支持部１ｃ，２ｃから構成されている。
【００１７】
嵌合部１ａ，２ａは弾性変形してステー６に着脱自在に嵌合する構成となっており、取り付けた状態において、糊付作業中の壁紙７の回転や横方向への移動程度では容易にずれない締付力を嵌合部１ａ，２ａは有している。しかし、糊付作業者が、壁紙７の幅に応じて力をかけると、ステー６に嵌合部１ａ，２ａを嵌合させた状態のままでスライド可能な構成となっている。フレーム部１ｂ，２ｂの下方には、垂直方向に立設した部分と壁紙７を支持する底部と斜面状となった部分とを有する壁紙支持部１ｃ，２ｃが構成されている。
【００１８】
嵌合部１ａ，２ａは、ステー６に対して弾性変形せずに、糊付作業者が操作して着脱や位置の固定を行うことができる把手付きのボルトのような締付手段でステーに固定する方法を採用しても良い。
【００１９】
また、壁紙支持部１ｃ，２ｃの壁紙中央側となる端部においては、壁紙７から離れるように端部に反りを持たせて、端部が当接しない状態とし、壁紙の表面又は裏面を損傷させないように曲げ加工を施しておくと好ましい実施の形態となる。
【００２０】
図３に示した第１壁紙支持部材１と第２壁紙支持部材２においては、図示はしていないが、ステー６に嵌合させた状態で１８０度糊付機本体３の上方へ旋回させることもできる。その場合、フレーム部１ｂ，２ｂにおいては、上部本体部４に設置しているステー等とは干渉しない形状を設計しておくと糊付機本体３の上方へ旋回して収納することができ、運搬時にどこかに接触させたりして損傷することを防ぐことができる。
【００２１】
図４は、壁紙７のセットや壁紙糊付機本体１における糊付作業の状態を説明する図である。上部本体部４は壁紙７をセットする場合などにおいて、図４の二点鎖線のように旋回して、壁紙７が通過する経路を構成するローラーの内、壁紙表面側に位置するローラーを移動させることができる構成となっている。上部本体部４を開いた状態でも、上部本体部４を実線位置のように閉じている状態でも、作業者が壁紙排出側に立っている状態で二点鎖線の壁紙７を第１壁紙支持部材１と第２壁紙支持部材２に載置するように、すなわち実線位置の壁紙７の位置へセットすることが可能となっている。
【００２２】
作業者が壁紙排出側に立っている状態で、壁紙７の載置後、壁紙７の端部を糊付ローラー８又は均しローラー９を越える付近まで引出し、上部本体部４を閉じることにより壁紙７の糊付前のセットが完了する。
【００２３】
本実施の形態においては、第１壁紙支持部材１と第２壁紙支持部材２の最下点は壁紙糊付機本体３の最下点と同じか垂直方向において上方に位置するようにしているので、従来から使用している折りたたみ式の糊付機の脚部を使用することなく、テーブルの上に適当な台を置き、その台上に糊付機本体３を載置して使用することもできる。第１壁紙支持部材１と第２壁紙支持部材２の最下点は壁紙糊付機本体３の最下点と同じか垂直方向において上方に位置するため、糊付作業者は糊付が完了した壁紙の排出側に立っていても、糊付機本体３の向こう側となる壁紙７の支持位置へ壁紙７のセットが容易にできるのである。もちろん、従来から使用している折りたたみ式の糊付機の脚部に糊付機本体３に載置して、原反芯棒を使用する壁紙と原反芯棒を使用せずに第１壁紙支持部材１と第２壁紙支持部材２に載置して糊付作業する壁紙とを使い分けして糊付作業をすることも可能である。または、糊付機本体３を台上に載置せずに直接にテーブル上又は床面に載置して糊付作業することもできる。台を使用するのは、壁紙糊付機本体３の排出位置からテーブル上面までの距離が短いと糊付された壁紙の折りたたみ作業がしにくいので、距離をとるためであり、短い距離でも折りたたみができる糊付作業者であれば特に台上に糊付機本体３を載置する必要はないのである。従って、第１壁紙支持部材１と第２壁紙支持部材２だけを使用して施工する壁紙であれば、施工現場に運搬するのも原反芯棒等は不要とできる。そのため、運搬する道具の数から軽減できるような実施が可能となるのである。
【００２４】
さらに、幅の狭い壁紙を主として施工するというユーザーに対しては、重量を軽くした有効幅の短い壁紙糊付機として提供することも可能であり、その場合は、施工現場への運搬性が向上できる。
【００２５】
図５は、第１壁紙支持部材１と第２壁紙支持部材２の壁紙支持部１ｃ，２ｃの形状を変更した実施の形態である。壁紙支持部１ｃ，２ｃの底部の形状を側面からの断面を見た状態で略Ｖ字型となるように構成している実施の形態である。このような形状とすることにより、壁紙７の表面が外側になるようにロールに巻かれた状態では、壁紙７の解反は実線の７ａとなり、壁紙７の表面が内側（裏紙側が表面となる巻き方）になるようにロールに巻かれた状態では、壁紙７の解反は二点鎖線の７ｂとなる。
【００２６】
壁紙７の解反が実線の７ａとなる場合には、壁紙糊付機本体３側の垂直方向に立設している側に壁紙７の解反時に原反は付勢され、壁紙７の解反が二点鎖線の７ｂとなる場合には、壁紙糊付機本体３側とは逆へ垂直方向に立設している側に壁紙７の解反時に原反は付勢される。どちらの巻き方となっていても壁紙７の原反が第１壁紙支持部材１と第２壁紙支持部材２から飛び出すようなことがなく支持された状態とできるのである。また、上記に説明した略Ｖ字型以外の形状、例えば略Ｕ字型などの形状でも採用は可能であり、壁紙の表面が外側、内側になっているにかかわらず、糊付作業時の解反の際に付勢される方向で壁紙が支持される構成であればよいのである。
【００２７】
幅の狭い壁紙のロールでは、紙管が入っていないこともあり、そのような場合は、糊付作業によって残りのｍ数が少なくなると壁紙のロール自体の重量が軽くなってくるため、適度な重りとなる壁紙を汚損しないような丸パイプ材などを適宜壁紙ロール内に設置して糊付作業しても良い。
【００２８】
本発明は、壁紙の原反のセット方法に関するものであり、壁紙糊付機のローラー構成等は従来既知の構成を採用したり、ローラーの本数を適宜増加したり減少させた状態で動作する糊付機にも採用することができる。また、背景技術に記載した特許文献１の図８に開示されているような手動糊付機のステー等へも適宜第１壁紙支持部材１と第２壁紙支持部材２設置できる構成として実施することも可能であることはいうまでもない。
【００２９】
また、さらに図示はしないが第１壁紙支持部材１と第２壁紙支持部材２における壁紙と接触する部分へ、回転する小さなローラー部材を１つ、あるいは適宜複数個配置させて、壁紙を小さなローラーで解反をさらに容易にできるようにするような構成を採用することもできる。
【図面の簡単な説明】
【００３０】
【図１】本発明の壁紙設置用部材を取り付けた状態を説明する正面図である。
【図２】本発明の壁紙設置用部材を取り付けた状態を説明する図１の左側面図（ａ）、右側面図（ｂ）である。
【図３】壁紙設置用部材の説明をする斜視図である。
【図４】壁紙のセットと糊付作業状態を説明する図である。
【図５】本発明の別の壁紙設置用部材の説明をする図である。
【符号の説明】
【００３１】
１    第１壁紙支持部材
１ａ  嵌合部
１ｂ  フレーム部
１ｃ  壁紙支持部
２    第２壁紙支持部材
２ａ  嵌合部
２ｂ  フレーム部
２ｃ  壁紙支持部
３    壁紙糊付機本体
４    上部本体部
５    下部本体部
６    ステー
７    壁紙
８    糊付ローラー
９    均しローラー
【図１】
2008221068.tif 000003
【図２】
2008221068.tif 000004
【図３】
2008221068.tif 000005
【図４】
2008221068.tif 000006
【図５】
2008221068.tif 000007